(57)【特許請求の範囲】
【請求項１】
ガイドレールを水平方向に配設して、そのガイドレールに案内され駆動モータで駆動されて水平方向に往復移動するノズル駆動ブロックを設け、そのノズル駆動ブロックにノズルブロックを吊設し、ノズルをそのノズルブロック及びノズルブロックの移動するスペースを挟んだ上下位置にそれぞれ設けた拡幅装置を順次下降すると共に前記ノズルブロックを水平方向に往復移動してジグザグに移動し、前記各ノズルから高圧の掘削水を噴射して連壁妻部を掘削し拡幅することを特徴とした連壁妻部の拡幅方法。
【請求項２】
ガイドレールを水平方向に配設して、そのガイドレールに案内され駆動モータで駆動されて水平方向に往復移動するノズル駆動ブロックを設け、そのノズル駆動ブロックにノズルブロックを吊設し、高圧の掘削水を噴射する複数のノズルをノズルブロック及びノズルブロックの移動するスペースを挟んだ上下位置にそれぞれ固設し、ノズルブロックの移動するスペースの上下位置にそれぞれ防護板を設けたことを特徴とする連壁妻部の拡幅装置。
【請求項３】
前記ノズルブロックをノズル駆動ブロックに対して着脱自在とし、前記防護板を幅方向に複数に分離可能とし、掘削幅に対応してノズルブロックのノズル間隔及び防護板の幅を変更可能に構成した請求項２に記載の連壁妻部の拡幅装置。
【発明の詳細な説明】
【０００１】
【発明の属する技術分野】
本発明は、連壁妻部の拡幅や、掘削機では施工不能箇所の土壌除去を施工する水噴流を利用した連壁妻部の拡幅方法及びその装置に関する。
【０００２】
【従来の技術】
従来、地下連続壁の掘削には、掘削機械によって機械的な方法で掘削しており、掘削断面の大きさを掘削機の大きさ以上にすることはできない。
【０００３】
そして、既存の掘削機械での連続壁の造成の場合は、小さな埋設物があっても構造物の下部の掘削作業はできず、この部分は他の工法、例えば噴射撹拌工法等で対処する必要があった。また、既存機械で地下構造物に連続壁を連結させる場合も、構造物に近接させて連続壁を構築した後に、他の工法により連結部に対処しなければならなかった。
【０００４】
【発明が解決しようとする課題】
本発明は、上記の様に既存掘削機では施工できない連壁妻部の拡幅や構造物下部の土壌除去を水噴流を利用して掘削を行い、施工能率を向上してコストの低下を図る連壁妻部の拡幅方法及びその装置を提供することを目的としている。
【０００５】
【課題を解決するための手段】
本発明の連壁妻部の拡幅方法は、ガイドレールを水平方向に配設して、そのガイドレールに案内され駆動モータで駆動されて水平方向に往復移動するノズル駆動ブロックを設け、そのノズル駆動ブロックにノズルブロックを吊設し、ノズルをそのノズルブロック及びノズルブロックの移動するスペースを挟んだ上下位置にそれぞれ設けた拡幅装置を順次下降すると共に前記ノズル駆動ブロックを水平方向に往復移動してジグザグに移動し、前記各ノズルから高圧の掘削水を噴射して連壁妻部を掘削し拡幅する。
【０００６】
そして、本発明の連壁妻部の拡幅装置は、ガイドレールを水平方向に配設して、そのガイドレールに案内され駆動モータで駆動されて水平方向に往復移動するノズル駆動ブロックを設け、そのノズル駆動ブロックにノズルブロックを吊設し、高圧の掘削水を噴射する複数のノズルをノズルブロック及びノズルブロックの移動するスペースを挟んだ上下位置にそれぞれ固設し、ノズルブロックの移動するスペースの上下位置にそれぞれ防護板を設けている。
【０００７】
また、前記ノズルブロックをノズル駆動ブロックに対して着脱自在とし、前記防護板を幅方向に複数に分離可能として掘削幅に対応してノズルブロックのノズル間隔及び防護板の幅を変更可能に構成している。
【０００８】
したがって、本発明によれば、従来、掘削機械で掘削できなかった地下連続壁の妻部に対し、ノズル駆動ブロックの水平方向往復移動と拡幅装置の下降とによってノズルがジグザグに掘削水を噴射して移動し、地盤面を妻部方向に掘削除去して拡幅することができる。
【０００９】
【発明の実施の形態】
以下、図面を参照して本発明の実施形態を説明する。
図１には全体を符号Ｍで示す拡幅装置の構成が示され、図２にはその拡幅装置の防護板１、２を除いた部分の正面図が示されている。図２において、水平方向にガイドレール７が配設され、そのガイドレール７に案内されて水平方向に往復移動するノズル駆動ブロック４には、両端部に高圧の掘削水を噴射する（移動）ノズル１０、１０が設けられたノズルブロック３が吊設されている。
【００１０】
そして、そのノズルブロック３を水平移動させるために、移動用ロッド８がガイドレール７に平行して設けられており、その移動用ロッド８が、駆動モータ５で駆動されてそのねじ溝に係合したノズル駆動ブロック４が往復移動する様に構成されている。
【００１１】
図１に示す様に、ノズルブロック３が水平移動するスペースＳの上方及び下方には防護板（上）１及び防護板（下）２が設けら、それらの防護板１、２は、後記する様に拡幅する壁厚に対応した幅に構成されている。また、ノズルブロック移動スペースＳを上下に挟んだ左右端部には透し孔が設けられてその内方にそれぞれ固定ノズル１１が設けられている。
【００１２】
そして、拡幅装置Ｍは、図３に示す壁厚の変数に対して共通使用するコア部分Ｋと、図４〜図６に示すそれぞえれ幅寸法の異なる防護板の左右付加部分２１Ａ〜２１Ｃ、２２Ａ〜２２Ｃおよびノズル１０、１０の配置間隔の相違するノズルブロック３Ａ〜３Ｃよりなる取替部分Ｅとで構成され、その組み替えで種々の壁厚に対応している。
【００１３】
すなわち、図４に示す実施形態では、壁厚Ｌ１、例えば８００ｍｍに対応し、コア部分Ｋの防護板１、２の両側に防護板付加部分２１Ａ、２２Ａを取り付け、ノズル１０、１０の配置間隔の狭い、例えば１２０ｍｍのノズルブロック３Ａによって図７に示す様に往復行程ｄ、例えば５２０ｍｍで所定幅Ｌ１（８００ｍｍ）の掘削が行える。また、図５に示す実施形態では、壁厚Ｌ２、例えば１０００ｍｍに対応し、防護板付加部分２１Ｂ、２２Ｂを取り付け、ノズル１０、１０の配置間隔のやや広い、例えば３２０ｍｍのノズルブロック３Ｂによって図８に示す様に前記同様の往復行程ｄ（５２０ｍｍ）で所定幅Ｌ２（１０００ｍｍ）の掘削が行える。さらに、図６に示す実施形態では、壁厚Ｌ３、例えば１２００ｍｍに対応し、防護板付加部分２１Ｃ、２２Ｃを取り付け、ノズル１０、１０の配置間隔の広い、例えば５２０ｍｍのノズルブロック３Ｃによって図９に示す様に同様の往復行程ｄ（５２０ｍｍ）で所定幅Ｌ３（１２００ｍｍ）の掘削が行える。掘削は、図７〜図９に示す様に、取替部分Ｅであるノズルブロック３Ａ〜３Ｃを選択し、所定の往復行程ｄで、１行程あたりｐだけ下方に進めることでそれぞれ図示の様にジグザグに移動してノズル１０からジェットＪが噴射され、これに合わせて固定ノズル１１からも噴射されて掘削が行われる。
【００１４】
次に、図１０〜図１２を参照して地下埋設物Ｂの下部を掘削する場合について説明する。まず、図１０に示す様に、埋設物Ｂの両側をカッタＣで埋設物Ｂの下方まで掘削し、その一方の掘削孔Ｈ１に拡幅装置Ｍを吊り降ろす。そして、紙面上下方向にノズルブロック３を往復させ埋設物Ｂの下方に向け水平にノズル１０、１１から高圧水のジェットＪを噴射しながら順次下方に進め、埋設物Ｂの下方を掘削する（図１１）。さらに、他方の掘削孔Ｈ２に拡幅装置Ｍを移動して、埋設物Ｂの下方を前記掘削の反対側からジェットＪによって掘削し、貫通させる（図１２）。
【００１５】
また、図１３及び図１４には既設の構造物Ｄと連続壁を接続する場合を示している。構造物Ｄの妻部に掘削された掘削孔Ｈに拡幅装置Ｍを吊り降ろし（図１３）、ノズルブロック３を壁厚さ方向（紙面上下方向）に往復移動させ、妻部方向に向け水平にノズル１０、１１から高圧水のジェットＪを噴射しながら順次下降させて拡幅し（図１４）、構造物Ｄの妻部と連結させて連続壁を打設する。
【００１６】
【発明の効果】
本発明は、以上説明した様に構成され、従来、掘削機械で掘削できなかった地下連続壁の妻部に対し、ノズル駆動ブロックの水平方向往復移動と削孔機の下降とによってノズルをジグザグに移動し、掘削水を噴射して地盤面を妻部方向に掘削除去し、拡幅することができる。また、同様にして、地下埋設物の下方の土壌の除去、あるいは既設構造物に連続壁を接続することも可能である。
【００１７】
そして、本発明の拡幅装置は、共通使用されるコア部分に対して取替部分である防護板とノズルブロックとを組み替えるだけで容易に種々の壁厚さの連続壁の造成に適用することができる。
【図面の簡単な説明】
【図１】本発明の拡幅装置全体の構成を示す斜視図。
【図２】図１の防護板を除いた正面図。
【図３】コア部分を示す正面図。
【図４】コア部分と取替部分とで構成した装置を示す正面図。
【図５】図４と対応壁厚が相違した装置を示す正面図。
【図６】図４と対応壁厚がさらに相違した装置を示す正面図。
【図７】図４の実施形態のノズルの動きを説明する図。
【図８】図５の実施形態のノズルの動きを説明する図。
【図９】図６の実施形態のノズルの動きを説明する図。
【図１０】地下埋設物の下部を切削する場合の施工を説明する図。
【図１１】図１０の次の工程を説明する図。
【図１２】図１１の次の工程を説明する図。
【図１３】既設の構造物と連続壁を接続する場合の施工を説明する図。
【図１４】図１３の次の工程を説明する図。
【符号の説明】
１・・・防護板（上）
２・・・防護板（下）
３・・・ノズルブロック
４・・・ノズル駆動ブロック
５・・・駆動モータ
７・・・ガイドレール
８・・・移動用ロッド
１０・・・移動ノズル
１１・・・固定ノズル
Ｍ・・・拡幅装置
【図１】
0003882968.tif 000002
【図２】
0003882968.tif 000003
【図３】
0003882968.tif 000004
【図４】
0003882968.tif 000005
【図５】
0003882968.tif 000006
【図６】
0003882968.tif 000007
【図７】
0003882968.tif 000008
【図８】
0003882968.tif 000009
【図９】
0003882968.tif 000010
【図１０】
0003882968.tif 000011
【図１１】
0003882968.tif 000012
【図１２】
0003882968.tif 000013
【図１３】
0003882968.tif 000014
【図１４】
0003882968.tif 000015